(57)【要約】【課題】ホットスポット現象による影響を低減するためのバイパスダイオードと太陽電池モジュールとの組合せを実現する技術を提供する。【解決手段】複数のモジュール群８０のそれぞれには、ふたつ以上の太陽電池モジュール１００が含まれる。各太陽電池モジュール１００に対してバイパスダイオード５０が並列に接続される。複数のモジュール群８０のそれぞれにおいて、ふたつ以上の太陽電池モジュール１００が並列に接続されている。また、複数のモジュール群８０は直列に接続されている。【選択図】図３
2013033831.tif 000002
【特許請求の範囲】
【請求項１】
複数のモジュールが含まれた第１のモジュール群と、
前記第１のモジュール群に含まれたモジュールの数と同数のモジュールが含まれた第２のモジュール群と、
前記第２のモジュール群と前記第１のモジュール群とを接続する接続部とを備え、
前記接続部は、
前記第１のモジュール群に含まれたモジュールのそれぞれと、前記第２のモジュール群に含まれたモジュールのそれぞれとを１対１で接続する複数の第１配線と、
前記複数の第１配線を接続する第２配線とを備えることを特徴とする太陽電池アレイ。
【請求項２】
前記複数の第１配線のそれぞれにおいて、一端側に、前記第１のモジュール群に含まれたモジュールに嵌合可能な第１端子が接合されており、他端側に、前記第２のモジュール群に含まれたモジュールに嵌合可能な第２端子が接合されており、
前記複数の第１配線、前記第２配線は、前記第１のモジュール群と前記第２のモジュール群とは別の筐体に収容されることを特徴とする請求項１に記載の太陽電池アレイ。
【請求項３】
ふたつ以上のモジュールがそれぞれに含まれた複数のモジュール群を備え、
前記複数のモジュール群のそれぞれにおいて、ふたつ以上のモジュールが並列に接続されているとともに、前記複数のモジュール群は直列に接続されていることを特徴とする太陽電池アレイ。
【発明の詳細な説明】
【技術分野】
【０００１】
本発明は、太陽電池アレイに関し、特に、複数の太陽電池モジュールにて形成された太陽電池アレイに関する。
【背景技術】
【０００２】
従来、光エネルギーを電気エネルギーに変換する光電変換装置として、いわゆる太陽電池の開発が各方面で精力的に行われている。太陽電池は、クリーンで無尽蔵なエネルギー源である太陽からの光を直接電気に変換できることから、新しいエネルギー源として期待されている。このような光電変換装置では、例えば、複数の太陽電池セルが直列に接続されるが、ホットスポット現象による太陽電池セルの破壊を防止することが重要になる。これに対応するために、所定数の太陽電池セルに対してひとつのバイパスダイオードが並列に接続される。４８個の太陽電池セルが直列に接続されている場合、１６個の太陽電池セル毎に１個の割合で計３個のバイパスダイオードが設けられる（特許文献１参照）。
【先行技術文献】
【特許文献】
【０００３】
【特許文献１】特開２０１０−２４５４１０号公報
【発明の概要】
【発明が解決しようとする課題】
【０００４】
複数の太陽電池セルを直列に接続している場合、各太陽電池セルに流れる電流が等しくなる。そのため、ホットスポット現象によって発電を行っていない太陽電池セルに流れ込む電流が大きくなる傾向にある。このような電流を低減するために、ひとつのバイパスダイオードに対して直列に接続される太陽電池セルの数が抑制されるべきである。例えば、１００個の太陽電池セル毎に１個のバイパスダイオードを設けるのではなく、背景技術のように１６個の太陽電池セル毎に１個のバイパスダイオードが設けられる。その結果、バイパスダイオードの数が増加するとともに、バイパスダイオードを接続するための電極の数も増加する。電極数が増加することによって、太陽電池モジュールの有効面積が小さくなり、発電量も低下する。このようなことは、太陽電池モジュールを組み合わせてアレイを形成する場合でも同様である。
【０００５】
本発明はこうした状況に鑑みてなされたものであり、その目的とするところは、ホットスポット現象による影響を低減するためのバイパスダイオードと太陽電池モジュールとの組合せを実現する技術を提供することにある。
【課題を解決するための手段】
【０００６】
上記課題を解決するために、本発明のある態様の太陽電池アレイは、複数のモジュールが含まれた第１のモジュール群と、第１のモジュール群に含まれたモジュールの数と同数のモジュールが含まれた第２のモジュール群と、第２のモジュール群と第１のモジュール群とを接続する接続部とを備える。接続部は、第１のモジュール群に含まれたモジュールのそれぞれと、第２のモジュール群に含まれたモジュールのそれぞれとを１対１で接続する複数の第１配線と、複数の第１配線を接続する第２配線とを備える。
【０００７】
本発明の別の態様もまた、太陽電池アレイである。この太陽電池アレイは、ふたつ以上のモジュールがそれぞれに含まれた複数のモジュール群を備える。複数のモジュール群のそれぞれにおいて、ふたつ以上のモジュールが並列に接続されているとともに、複数のモジュール群は直列に接続されている。
【発明の効果】
【０００８】
本発明によれば、ホットスポット現象による影響を低減するためのバイパスダイオードと太陽電池モジュールとの組合せを実現できる。
【図面の簡単な説明】
【０００９】
【図１】本発明の実施例に係る太陽電池モジュールの構成を示す斜視図である。
【図２】図１の太陽電池モジュールの接続例を示す図である。
【図３】本発明の実施例に係る太陽電池アレイの回路構成を示す図である。
【図４】図１に示された接続ボックスの外観を示す図である。
【図５】図３のモジュールコネクタの回路構成を示す図である。
【図６】図５のモジュールコネクタの外観を示す図である。
【図７】図７（ａ）−（ｄ）は、ホットスポット現象による影響を説明するための図である。
【図８】図８（ａ）−（ｃ）は、ホットスポット現象による影響を説明するための別の図である。
【発明を実施するための形態】
【００１０】
本発明を具体的に説明する前に、概要を述べる。本発明の実施例は、太陽電池として使用可能な光電変換装置に関する。ここでは、薄膜光電変換モジュールとしての太陽電池モジュールを説明の対象にする。太陽電池モジュールの耐用年数を長期化するためには、ホットスポット現象への対策が必要となる。ホットスポット現象とは、落ち葉等の物体が太陽電池の表面に付着して影となった場合、その部分が発熱してしまう現象であり、それによって太陽電池セルが破損してしまうこともある。これは、太陽電池セルが直列に接続されていれば、発電を行わない太陽電池セルにも発電した電流が流れるが、影になった太陽電池が抵抗体となるので、そこに電流が通る際に「熱」を発生させてしまうからである。
【００１１】
また、破損に至らなくても、非発電の太陽電池セルが抵抗体となって、他の太陽電池セルが発電した電力を消費してしまい、発電量が低下する問題もある。影になった部分が発電しない以上に発電量が低下してしまう。このような現象は、太陽電池モジュールを組み合わせることによってアレイを形成する場合でも同様であり、これを回避するために、バイパスダイオードが太陽電池モジュールと並列に接続される。影になって発電をしない太陽電池モジュールが存在する場合、電流がバイパスダイオードの方向に流れるので、影となった太陽電池セルが保護される。しかしながら、発電を行わない太陽電池モジュールに流れる電流が完全に遮断されるわけではないので、バイパスダイオードを使用する場合であっても、発電を行わない太陽電池モジュールでの発熱量を低減することが望まれる。また、前述のごとく、発電量低下を抑制することも望まれる。
【００１２】
本実施例に係る太陽電池アレイでは、複数の太陽電池モジュールが配置される。各太陽電池モジュール群において、太陽電池モジュールは並列に接続されるとともに、複数の太陽電池モジュール群は、直列に接続される。また、複数の太陽電池モジュール群のそれぞれに対して並列にバイパスダイオードが接続されている。このように接続されることによって、ホットスポット現象が発生した場合であっても、発電を行っていない太陽電池モジュールに流れる電流が小さくなるような動作点が使用される。その結果、発熱量が抑制される。ここで、発電を行っていない太陽電池モジュールとは、それに含まれた一部の太陽電池セルだけが発電を行っていないものも含まれる。
【００１３】
以下、図面を参照しながら、本発明の実施例について詳細に説明する。なお、図面の説明において同一の要素には同一の符号を付し、重複する説明を適宜省略する。また、以下の各図に示す各部の縮尺や形状は、説明を容易にするために便宜的に設定されており、特に言及がない限り限定的に解釈されるものではない。
【００１４】
図１は、本発明の実施例に係る太陽電池モジュール１００の構成を示す斜視図である。太陽電池モジュール１００は、モジュール本体１０、接続ボックス２０、モジュール連結ケーブル２２と総称される第１モジュール連結ケーブル２２ａ、第２モジュール連結ケーブル２２ｂ、差込端子２４、被差込端子２６を含む。モジュール本体１０の表面側には、図示しない複数の太陽電池セルが敷設されている。これらの太陽電池セルの構造および接続には、公知の技術が使用されればよいので、ここでは説明を省略する。
【００１５】
モジュール本体１０の裏面側には、接続ボックス２０が配設されている。接続ボックス２０は、太陽電池セルにおいて発電された電力を取り出す。接続ボックス２０の構成についても公知の技術が使用されればよいので、ここでは説明を省略する。接続ボックス２０には、集電した電力を外部に出力するための第１モジュール連結ケーブル２２ａと第２モジュール連結ケーブル２２ｂが接続される。第１モジュール連結ケーブル２２ａの先端には、差込端子２４が接合されており、第２モジュール連結ケーブル２２ｂの先端には、被差込端子２６が接合されている。
【００１６】
図２は、太陽電池モジュール１００の接続例を示す。図示のごとく、太陽電池モジュール１００と総称される第１太陽電池モジュール１００ａ、第２太陽電池モジュール１００ｂ、第３太陽電池モジュール１００ｃ、第４太陽電池モジュール１００ｄ、接続ボックス２０と総称される第１接続ボックス２０ａ、第２接続ボックス２０ｂ、第３接続ボックス２０ｃ、第４接続ボックス２０ｄを含む。ここで、太陽電池モジュール１００は、本実施例に使用されるものと同一であるが、図２のような複数の太陽電池モジュール１００の接続が本実施例と異なる。太陽電池モジュール１００は、接続ボックス２０のモジュール連結ケーブル２２の一方が、他の太陽電池モジュール１００のモジュール連結ケーブル２２の他方に互いに連結可能となっている。
【００１７】
具体的に説明すると、図１における第１太陽電池モジュール１００ａの差込端子２４は、第２太陽電池モジュール１００ｂにおける第２モジュール連結ケーブル２２ｂの先端に接合された被差込端子２６に連結される。その結果、屋根上等に並設された複数の太陽電池モジュール１００は、直列に順次連結可能な構造になっている。さらに、本実施例の場合と同様であるが、複数の太陽電池モジュール１００は、図示しないインバータに接続され、インバータは、太陽電池モジュール１００らの直流電流を交流電流に変換する。このようにして、複数の太陽電池モジュール１００から電力が取り出される。
【００１８】
図３は、本発明の実施例に係る太陽電池アレイ２００の回路構成を示す。太陽電池アレイ２００は、モジュール群８０と総称される第１モジュール群８０ａ、第２モジュール群８０ｂ、第３モジュール群８０ｃ、モジュールコネクタ７０と総称される第１モジュールコネクタ７０ａ、第２モジュールコネクタ７０ｂを含む。
【００１９】
第１モジュール群８０ａは、第１−１太陽電池モジュール１００ａａ、第２−１太陽電池モジュール１００ｂａ、第３−１太陽電池モジュール１００ｃａ、第４−１太陽電池モジュール１００ｄａ、第５−１太陽電池モジュール１００ｅａ、第１−１バイパスダイオード５０ａａ、第２−１バイパスダイオード５０ｂａ、第３−１バイパスダイオード５０ｃａ、第４−１バイパスダイオード５０ｄａ、第５−１バイパスダイオード５０ｅａを含む。また、第２モジュール群８０ｂも、第１モジュール群８０ａ等と同様に、第１−２太陽電池モジュール１００ａｂ〜第５−２太陽電池モジュール１００ｅｂ、第１−２バイパスダイオード５０ａｂ〜第５−２太陽電池モジュール１００ｅｂを含む。また、第３モジュール群８０ｃも、第１モジュール群８０ａ等と同様に、第１−３太陽電池モジュール１００ａｃ〜第５−３太陽電池モジュール１００ｅｃ、第１−３バイパスダイオード５０ａｃ〜第５−２太陽電池モジュール１００ｅｃを含む。
【００２０】
第１モジュールコネクタ７０ａは、モジュール間接続配線８２と総称される第１−１モジュール間接続配線８２ａａ、第２−１モジュール間接続配線８２ｂａ、第３−１モジュール間接続配線８２ｃａ、第４−１モジュール間接続配線８２ｄａ、第５−１モジュール間接続配線８２ｅａ、並列接続用配線８４と総称される第１並列接続用配線８４ａを含む。また、第２モジュールコネクタ７０ｂも、第１モジュールコネクタ７０ａと同様に、第１−２モジュール間接続配線８２ａｂ〜第５−２モジュール間接続配線８２ｅｂ、第２並列接続用配線８４ｂを含む。
【００２１】
モジュール群８０は、ふたつ以上の太陽電池モジュール１００を含む。また、第１モジュール群８０ａと第２モジュール群８０ｂとのように異なったモジュール群８０において、同数の太陽電池モジュール１００が含まれる。さらに、各太陽電池モジュール１００に対して、バイパスダイオード５０が並列に接続される。例えば、第１−１太陽電池モジュール１００ａａに対して第１−１バイパスダイオード５０ａａが並列に接続される。
【００２２】
モジュールコネクタ７０は、隣接したふたつのモジュール群８０の間に設けられて、お互いを接続する。具体的に説明すると、第１モジュール群８０ａと第１モジュールコネクタ７０ａは、５つの接続点Ｃ１からＣ５において接続される。また、第１モジュールコネクタ７０ａと第２モジュール群８０ｂも、５つの接続点Ｃ６からＣ１０において接続される。第２モジュールコネクタ７０ｂでも同様である。
【００２３】
そのため、モジュールコネクタ７０において、互いに異なったモジュール群８０に含まれた太陽電池モジュール１００がモジュール間接続配線８２を介して１対１で接続される。例えば、第１モジュールコネクタ７０ａにおいて、第１モジュール群８０ａに含まれた第２−１太陽電池モジュール１００ｂａと、第２モジュール群８０ｂに含まれた第２−２太陽電池モジュール１００ｂｂとが第２−１モジュール間接続配線８２ｂａを介して１対１で接続される。その際の接続点は、Ｃ２とＣ７である。さらに、第１−１モジュール間接続配線８２ａａから第５−１モジュール間接続配線８２ｅａは、並列接続用配線８４によって接続される。このような接続は、第２モジュールコネクタ７０ｂにおいても同様である。このように、複数のモジュール群８０のそれぞれにおいて、ふたつ以上の太陽電池モジュール１００が並列に接続されているとともに、複数のモジュール群８０は直列に接続されている。
【００２４】
図４は、接続ボックス２０の外観を示す。接続ボックス２０は、図１と同様に示される。前述のごとく、差込端子２４と被差込端子２６が、モジュール連結ケーブル２２の先端に接続される。差込端子２４は凸形の形状を有し、被差込端子２６は、差込端子２４を差込可能な差込口を有しており、両者の形状は異なっている。ここでは、差込端子２４が正電極に対応し、被差込端子２６が負電極に対応する。
【００２５】
図５は、モジュールコネクタ７０の回路構成を示す。モジュールコネクタ７０は、被差込端子７２と総称される第１被差込端子７２ａ、第２被差込端子７２ｂ、第３被差込端子７２ｃ、第４被差込端子７２ｄ、差込端子７４と総称される第１差込端子７４ａ、第２差込端子７４ｂ、第３差込端子７４ｃ、第４差込端子７４ｄ、モジュール間接続配線８２と総称される第１モジュール間接続配線８２ａ、第２モジュール間接続配線８２ｂ、第３モジュール間接続配線８２ｃ、第４モジュール間接続配線８２ｄ、並列接続用配線８４を含む。被差込端子７２は、図４の差込端子２４に嵌合可能な形状を有し、差込端子７４は、図４の被差込端子２６に嵌合可能な形状を有する。図５のモジュールコネクタ７０が、図３の第１モジュールコネクタ７０ａである場合、被差込端子７２は、第１モジュール群８０ａに含まれた太陽電池モジュール１００の図示しない差込端子２４に嵌合される。そのため、第１被差込端子７２ａでの接続は、図３のＣ１での接続に相当する。
【００２６】
また、差込端子７４は、第２モジュール群８０ｂに含まれた太陽電池モジュール１００の図示しない被差込端子２６に嵌合される。なお、図５のモジュールコネクタ７０が、図３の第１モジュールコネクタ７０ａである場合、被差込端子７２と差込端子７４は、それぞれ５つあるものとする。
【００２７】
複数のモジュール間接続配線８２のそれぞれは、一端側に被差込端子７２を接合し、他端側に差込端子７４を接合する。そのため、モジュール間接続配線８２は、隣接したモジュール群８０に含まれた太陽電池モジュール１００を１対１で接続する。並列接続用配線８４は、複数のモジュール間接続配線８２を接続する。
【００２８】
図６は、モジュールコネクタ７０の外観を示す。モジュールコネクタ７０は、被差込端子７２、差込端子７４、コネクタ筐体７６を含む。図５に示された複数のモジュール間接続配線８２、並列接続用配線８４は、図４に示された複数のモジュール群８０とは別に構成されたコネクタ筐体７６に収容される。コネクタ筐体７６は、外部に被差込端子７２および差込端子７４を突設する。
【００２９】
図７（ａ）−（ｄ）は、ホットスポット現象による影響を説明するための図である。これらは、太陽電池アレイによって発電される電圧と電力との関係（以下、単に「電圧と電力との関係」という）を示す。また、これらは、本実施例に係る太陽電池アレイ２００の比較対象であり、複数の太陽電池モジュールが直列に接続されている場合である。横軸が電圧であり、縦軸が電流である。図７（ａ）は、ホットスポット現象が生じていない場合の電圧と電流との関係を示す。これは、発電が理想的になされている場合に相当する。また、電圧と電流の積が電力であるので、図中のＰ１において発電される電力が最大になる。図７（ｂ）および図７（ｃ）は、ホットスポット現象が生じている場合の電圧と電流との関係を示す。これらは、本発明の比較対象であり、例えば、複数の太陽電池モジュールが直列に接続されている場合である。これらでは、一部の太陽電池セルにおいて発電が行われていない。ここで、図７（ｃ）において発電を行わない太陽電池モジュールおよび太陽電池セルの数は、図７（ｂ）において発電を行わない太陽電池モジュールおよび太陽電池セルの数よりも多い。
【００３０】
ホットスポット現象によって、図７（ａ）のＰ１のような電力のピークがなくなり、ふたつの特異点が生じる。図７（ｂ）においては、Ｐ２あるいはＰ３において発電される電力が最大になる。図７（ｄ）は、ホットスポット現象によって、図７（ａ）の関係が、図７（ｂ）、図７（ｃ）の関係になることを説明するための図である。Ｌ３は、ホットスポット現象が生じていない太陽電池モジュールでの関係を示す。一方、Ｌ１やＬ２は、ホットスポット現象が生じている太陽電池セルでの関係を示す。太陽電池アレイでの関係は、Ｌ１あるいはＬ２と、Ｌ３との重ね合わせになるので、図７（ｂ）、図７（ｃ）のように示される。
【００３１】
図８（ａ）−（ｃ）は、ホットスポット現象による影響を説明するための別の図である。図８（ａ）−（ｃ）は、図７（ａ）−（ｄ）と同様に示される。また、図８（ａ）−（ｂ）も、本実施例に係る太陽電池アレイ２００の比較対象であり、複数の太陽電池モジュールが直列に接続されている場合である。図８（ａ）は、ホットスポット現象が生じている場合の消費電力を説明するための図である。Ｐ１において発電がなされている場合、電流は「Ｉ１」になる。その結果、発電を行わない太陽電池セルには、Ｉ１の電流が流れ、図中の斜線部分に対応した電力が消費される。図８（ｂ）も、ホットスポット現象が生じている場合の消費電力を説明するための図である。図８（ｂ）は、インバータによって最適動作点が検出された場合を示す。最適動作点とは、太陽電池モジュールによって発電される電力が大きくなる点に相当する。ここでは、最適動作点としてＰ２が検出されているので、電流は「Ｉ２」になる。
【００３２】
その結果、発電を行わない太陽電池セルには、Ｉ２の電流が流れ、図中の斜線部分に対応した電力が消費される。図８（ｂ）での斜線の面積は、図８（ａ）での斜線の面積よりも狭いので、前者での消費電力は後者での消費電力よりも小さくなる。消費電力が小さくなると発熱量も小さくなるので、太陽電池セルの破壊が抑制される。これらを考慮すると、電圧の減少を抑制しながら、電流を減少させることが、ホットスポット現象に対して有効であるといえる。なお、ホットスポット現象における電圧と電流の関係はさまざまであり、インバータを接続する場合であっても、図８（ａ）のＰ１が最適動作点として検出されることもある。そのため、図８（ｂ）のＰ２が最適動作点として検出されやすくなるような太陽電池モジュールの構成が望まれる。
【００３３】
図８（ｃ）は、本実施例に係る太陽電池アレイ２００においてホットスポット現象が生じた場合の電圧と電流との関係を示す図である。ここでは、太陽電池アレイ２００のうち、ひとつのモジュール群８０を説明の対象とする。モジュール群８０では、複数の太陽電池モジュール１００が並列に接続されているので、各モジュール群８０の電流は合成される。そのため、各モジュール群８０での電圧と電流との関係Ｌ５を電流について加算することによって、太陽電池アレイ２００での電圧と電流との関係Ｌ６が得られる。それにより、ひとつの太陽電池モジュール１００に含まれた太陽電池セルにおいてホットスポット現象が生じている場合、最適動作点の候補は、Ｐ３およびＰ４になる。
【００３４】
ここで、Ｐ３における電圧を「Ｖ３」とし、電流を「Ｉ３」とし、Ｐ４における電圧を「Ｖ４」とし、電流を「Ｉ４」とすると、図示のごとく、Ｖ３＞Ｖ４、Ｉ４＞Ｉ３の関係が成立する。複数の太陽電池モジュール１００が並列に接続されている場合、並列に接続された複数の太陽電池モジュール１００の数に応じて、Ｉ３とＩ４との差が小さくなる。一方、並列に接続された複数の太陽電池モジュール１００の数にかかわらず、Ｖ３とＶ４との差はほぼ一定である。その結果、Ｐ４における電力（Ｖ４×Ｉ４）は、Ｐ３における電力（Ｖ３×Ｉ３）よりも大きくなるので、Ｐ４の方が最適動作点として選択されやすくなる。前述のごとく、複数の太陽電池モジュール１００が並列に接続されているので、図中の斜線部分に対応した電力が消費される。このように斜線部分の面積が小さくなり、発熱量が抑制される。さらに、このようなモジュール群８０を複数直列に接続しても、前述の性質は維持される。一方、直列に接続することによって、太陽電池モジュール１００の数が増加され、発電量も増加される。
【００３５】
本発明の実施例によれば、複数のモジュールを並列に接続するとともに、各モジュールに並列にバイパスダイオードを接続するので、ホットスポット現象が生じた場合であっても、インバータに接続したときの最適動作点として低電流側の動作点を選択されやすくできる。その結果、発電を行ってない太陽電池セルが含まれた太陽電池モジュールに流れる電流を抑制でき、ひいては、発熱量を抑制できる。また、発熱量が抑制されるので、太陽電池セルの破壊を回避でき、その結果、太陽電池モジュールや太陽電池アレイの耐用年数を増加できる。
【００３６】
また、モジュールを並列に接続したモジュール群をさらに直列に接続するので、モジュール数を維持できる。その結果、発電量も維持できる。また、並列の接続と直列の接続とを組み合わせることによって、発電量を維持しながら、ホットスポット現象が生じた場合の発熱量を抑制できる。また、モジュールコネクタを使用して複数の太陽電池モジュールを接続するので、太陽電池アレイの設置を容易にできる。
【００３７】
以上、本発明を上述の実施例を参照して説明したが、本発明は上述の実施例に限定されるものではなく、実施例の構成を適宜組み合わせたものや置換したものについても本発明に含まれるものである。また、当業者の知識に基づいて実施例における組合せや処理の順番を適宜組み替えることや各種の設計変更等の変形を実施例に対して加えることも可能であり、そのような変形が加えられた実施例も本発明の範囲に含まれうる。
【符号の説明】
【００３８】
１０  モジュール本体、  ２０  接続ボックス、  ２２  モジュール連結ケーブル、  ２４  差込端子、  ２６  被差込端子、  ５０  バイパスダイオード、  ７０  モジュールコネクタ、  ７２  被差込端子、  ７４  差込端子、  ７６  コネクタ筐体、  ８０  モジュール群、  ８２  モジュール間接続配線、  ８４  並列接続用配線、  １００  太陽電池モジュール、  ２００  太陽電池アレイ。
【図１】
2013033831.tif 000003
【図２】
2013033831.tif 000004
【図３】
2013033831.tif 000005
【図４】
2013033831.tif 000006
【図５】
2013033831.tif 000007
【図６】
2013033831.tif 000008
【図７】
2013033831.tif 000009
【図８】
2013033831.tif 000010